(57)【特許請求の範囲】
【請求項１】
頂壁２中央部に蓋板収納用の凹部ａを形成するとともに、凹部中央部に取り出し口３を形成し、且つ、凹部内前部を揺動板押し下げ用の押し下げ空間a1に形成してなる容器本体Ａと、凹部内に収納させた蓋板６の後部を容器本体上面後部に回動可能に連結するとともに、蓋板裏面中央部より垂設したシール筒７を取り出し口３を密閉して嵌合させ、且つ、容器本体上面に開閉可能に設けた蓋体Ｂとを備え、蓋板前部に穿設した指掛け用の窓孔９内に薄肉ヒンジ10を介して揺動板11を突設するとともに、凹部底壁上面より起立した支持突片12の先端を揺動板下面に当接させ、且つ、シール筒７と薄肉ヒンジ10との間の蓋板６裏面より下方へ垂設したフック13と、取り出し口３と支持突片12との間の凹部底壁上面より上方へ立設したフック14とを閉蓋時に離脱可能に係合させてなり、揺動板の外側端を押し下げた際に、フック13とフック14の係合が解除されるとともに、薄肉ヒンジ部分が支持突片を支点として上方に押し上げられて窓孔への指掛けが可能となる如く構成したことを特徴とする気密性容器。
【請求項２】
上記取り出し口３が、上記凹部ａ中央部に上端を開口した筒状の取り出し口３である請求項１記載の気密性容器。
【発明の詳細な説明】
【０００１】
【発明の属する技術分野】
本発明は気密性容器に関し、詳しくは、ウェットティッシュ等を収納する気密性に優れた容器に関する。
【０００２】
【従来の技術】
ウェットティッシュ等を収納する気密性のある容器として、例えば、頂壁中央部に取り出し口を穿設した容器本体と、取り出し口に密嵌して閉塞するシール筒を蓋板裏面より垂設するとともに、後部を容器本体後部に回動可能に連結して容器本体上面を開閉可能に設けた蓋体とを備えてなる合成樹脂製のものが知られている。
【０００３】
これらは、容器本体と蓋体との軸着部にトーションバネを介在させて、蓋体前部の容器本体に対する係合を解除した際に自動的に開蓋する如く構成している。また、蓋体前部の係合解除手段として、図３に示す如く、容器本体50に嵌着した中蓋51の先端縁より折り返し係止した基板52の上面より支持突片53を一体に突設し、また、支持突片53の先端を押圧板54の裏面に一体に連結し、更に蓋体55の先端部には先端縁より内方へ切欠き部56を穿設して、この切欠き部56の下方に押圧板54を臨ませている。そして、押圧板54の外側端部を押し下げることにより、支持突片53を支点としてその内側端部が上方へ移行し、蓋体55の頂板57下面を押し上げて頂板57裏面より垂設したシール筒58と取り出し口59とに設けた係合突起60及び係止突起61の係合が外れ、トーションバネ（図示せず）の弾発力により蓋体55が開く如く構成している。
【０００４】
【発明が解決しようとする課題】
上記従来の容器は、押圧板54を押し下げるだけで簡単に開蓋し、また、蓋体55を押し下げるだけで簡単に閉蓋するため、使勝手が良く、使用上すこぶる便利であるが、トーションバネを使用しているため、その組み付け操作が面倒であり、また、近年の合成樹脂と金属との分別廃棄が要望されている点からも金属の使用は差し控えたいという問題点がある。
【０００５】
また、シール筒58の嵌合部分に係合突起60と係止突起61との係合手段を備えているので、その部分の気密性が若干劣る。
【０００６】
本発明では、上記した点に鑑み、金属製のトーションバネを使用しなくても、片手操作により簡単に開蓋することができるとともに、蓋体の一部を指先で上方から押すだけて閉蓋することができ、しかも構造も簡単で安価に製造でき、気密性にも優れた合成樹脂製の容器を提案するものである。
【０００７】
【課題を解決するための手段】
第１の手段として、頂壁２中央部に蓋板収納用の凹部ａを形成するとともに、凹部中央部に取り出し口３を形成し、且つ、凹部内前部を揺動板押し下げ用の押し下げ空間a1に形成してなる容器本体Ａと、凹部内に収納させた蓋板６の後部を容器本体上面後部に回動可能に連結するとともに、蓋板裏面中央部より垂設したシール筒７を取り出し口３を密閉して嵌合させ、且つ、容器本体上面に開閉可能に設けた蓋体Ｂとを備え、蓋板前部に穿設した指掛け用の窓孔９内に薄肉ヒンジ10を介して揺動板11を突設するとともに、凹部底壁上面より起立した支持突片12の先端を揺動板下面に当接させ、揺動板の外側端を押し下げた際に、薄肉ヒンジ部分が支持突片を支点として上方に押し上げられて窓孔への指掛けが可能となる如く構成した。
【０００８】
第２の手段として、前記第１の手段に於いて、上記取り出し口３が、上記凹部ａ中央部に上端を開口した筒状の取り出し口３である如く構成した。
【０００９】
第３の手段として、前記第１の手段に於いて、上記シール筒７と薄肉ヒンジ10との間の蓋板６裏面より下方へ垂設したフック13と、取り出し口３と支持突片12との間の凹部底壁上面より上方へ立設したフック14とを、閉蓋時に離脱可能に係合させた。
【００１０】
【発明の実施の形態】
以下、本発明の実施例の形態を図面を参照して説明する。
本発明の容器１は、容器本体Ａと蓋体Ｂとを備えている。
容器本体Ａは合成樹脂により形成されたもので、頂壁２中央部に蓋板嵌合用の凹部ａを形成するとともに、凹部ａ中央部に取り出し口３を形成し、また、凹部ａ内前部を揺動板押し下げ用の押し下げ空間a1に形成している。凹部ａは、蓋体Ｂの後述する蓋板を収納させるものであり、少なくとも蓋板が収納できる深さを備えており、蓋体の平面輪郭と略同様な平面形状とすると良い。また、前部においては、後述する揺動板の押し下げ空間を形成するものであり、少なくとも取り出し口３と後述シール筒との密嵌を解消する程度の指の押し込みが可能な深さを備えている。
【００１１】
図示例では、四角板状で周縁部に二条の突条で形成した嵌合凹溝を立設してなる底蓋A1と、該底蓋A1の嵌合凹溝に下端縁を密嵌して固定した四角筒状の周壁４上端縁より頂壁２を延設してなる胴部A2とから容器本体Ａを構成している。また、凹部ａは頂壁中央部を縦長四角形状に凹ませて形成しており、その中央部に上端を開口した円筒状の取り出し口３を設けている。取り出し口３は、図示例のものに限らず、単に凹部ａ中央部を開口することにより構成しても良い。
【００１２】
また、本実施例の凹部ａは、全体を同じ深さとしているが、例えば、揺動板押し下げ空間a1を形成する前部だけを深く、その他の部分を蓋板の肉厚程度に浅く形成することも可能である。
【００１３】
蓋体Ｂも合成樹脂により形成されたもので、凹部ａに収納させた蓋板６後部を容器本体Ａ上面後部に回動可能に連結するとともに、蓋板６裏面中央部より垂設したシール筒７を取り出し口３を密閉して嵌合させ、容器本体Ａ上面に開閉可能に設けている。
【００１４】
図示例では、凹部ａ周壁内周面上端部に外周縁を位置させて収納した矩形状の蓋板６を有し、蓋板６下面後端部より垂設した突部８両面を、凹部ａの周壁内面両側後端部に軸着，枢着等の適宜手段により回動可能に連結している。また、蓋板６裏面中央部より垂設した円筒状のシール筒７を取り出し口３の筒壁内面に密嵌させている。
【００１５】
本発明では、蓋板６前部に穿設した指掛け用の窓孔９内に薄肉ヒンジ10を介して揺動板11を突設させるとともに、凹部ａの底壁上面より起立した支持突片12の先端を揺動板11下面に当接させ、揺動板11の外側端を押し下げた際に、薄肉ヒンジ10部分が支持突片12を支点として上方に押し上げられて窓孔９への指掛けが可能となる如く構成している。従って、支持突片12は薄肉ヒンジ10の比較的近傍にその上面が当接する位置に立設すると良い。
【００１６】
また図示例では、シール筒７と薄肉ヒンジ10との間の蓋板６裏面より下方へフック13を垂設し、また、取り出し口３と支持突片12との間の凹部底壁上面より上方へフック14を立設し、閉蓋状態で各フックが離脱可能な程度の係合力により係合する如く構成している。各フックを設けることにより、より確実に蓋体Ｂの容器本体への係止を行う如く構成している。
【００１７】
上記の如く構成した容器を使用する場合に付いて説明すると、例えば、図１の実線の状態から指の先で揺動板11の外側端を押し下げると、各フック13，14の係合が外れるとともに、シール筒７の取り出し口３との密嵌が解除されて蓋板６前部が上方へ持ち上げられ、次いで指先を二点鎖線にある如く、窓孔９の前縁部を形成する蓋板６裏面に掛けて持ち上げれば蓋体Ｂは容易に開き、内容物を取り出すことが出来る。
【００１８】
使用後は蓋板６上面を押して蓋体Ｂ閉じれば、各フックが係合するとともに、シール筒７が取り出し口３の筒壁に密嵌し、元の状態に戻る。
【００１９】
【発明の効果】
以上説明した如く、本発明容器は、既述構成としたことにより、シール筒の取り出し口への嵌合により容器体内収納物を確実に密封することができるとともに、揺動板の押し下げによりシール筒の密嵌状態を解除し、次いで、窓孔へ掛けた指を引き上げるだけの簡単な操作で開蓋させることができるため、容器本体を固定しなくても片手での開蓋を容易に行える。
【００２０】
しかもトーションバネの如き金属を部材として使用しなくても蓋体の開閉が極めて容易に行えるため、廃棄の際に金属と合成樹脂とを分離する必要もない。
【００２１】
また、蓋板は凹部内に収納させているため、容器上面を略平坦面にすることが出来、積み重ねを容易に行える。
【００２２】
また、取り出し口が、凹部中央に上端を開口して垂設した筒状の取り出し口であるものにあっては、シール筒との嵌合面が広くとれるため、更に良好な気密性を得られるとともに、この様な形態にしても同様に片手での開蓋を容易に行えるという利点を兼ね備えている。
【００２３】
また、シール筒と薄肉ヒンジとの間の頂板裏面より下方へ垂設したフックと、取り出し口と支持突片との間の凹部底壁上面より上方へ立設したフックとを係合させてなるものにあっては、蓋体の係止を更に確実に行えるとともに、取り出し口部分にはフックが存在しないため良好な気密性を維持することができるという効果を合わせて発揮するものである。
【図面の簡単な説明】
【図１】本発明の一実施例を示す要部拡大断面図である。
【図２】同実施例の斜視図である。
【図３】従来容器を示す要部拡大断面図である。
【符号の説明】
２…頂壁，３…取り出し口，６…蓋板，７…シール筒，９…窓孔，
10…薄肉ヒンジ，11…揺動板，12…支持突片，13…フック，14…フック，
Ａ…容器本体，Ｂ…蓋体，ａ…凹部
【図１】
0003708327.tif 000002
【図２】
0003708327.tif 000003
【図３】
0003708327.tif 000004